(57)【要約】【課題】熱源ユニットの運転ユニット数を増加させる増段処理の際に負荷機器の入口熱媒温度が負荷機器能力の低減側に大きく変動した状態になるのを抑止する。【解決手段】熱源機１に一次ポンプ２を直列接続した熱源ユニットＵ、及び、バイパス路１２よりも負荷機器３側に介装した二次ポンプ８を有し、負荷機器３における負荷熱量Ｇの変化に応じて熱源ユニットＵの運転ユニット数を変更する熱源台数調整（熱源台数制御）、及び、二次流量Ｑ２の変化に応じて一次流量Ｑ１を調整する一次流量調整（一次流量制御）を行なう熱源システムにおいて、熱源台数調整で熱源ユニットＵの運転ユニット数を増加させる増段処理に際して、一次流量調整での二次流量Ｑ２に対する一次流量Ｑ１の比率である運転流量比率αを予め増大させておく増段用過渡調整（増段用過渡制御）を行なう。【選択図】図１
2010255984.tif 000002
【特許請求の範囲】
【請求項１】
熱媒を設定出口熱媒温度に冷却又は加熱する熱源機とその熱源機に熱媒を送給する一次ポンプとを直列接続した熱源ユニットを負荷機器に対する熱媒循環路に並列状態で複数介装し、
これら熱源ユニットの並列群と前記負荷機器との間において前記熱媒循環路における負荷機器側への往路部分と負荷機器側からの還路部分とを接続するバイパス路を設けるとともに、
前記熱媒循環路における前記バイパス路の接続点よりも負荷機器寄りの箇所に前記負荷機器に対して熱媒を送給する二次ポンプを介装した熱源システムにおいて、
前記負荷機器における負荷熱量の変化に応じて前記熱源ユニットの運転ユニット数を変更する熱源台数調整、及び、負荷機器側の熱媒流量である二次流量の変化に応じて運転一次ポンプの送出流量の調整により熱源ユニット側の熱媒流量である一次流量を調整する一次流量調整を行なう熱源システム運転方法であって、
前記熱源台数調整で前記熱源ユニットの運転ユニット数を増加させる増段処理に際して、前記一次流量調整での前記二次流量に対する前記一次流量の比率である運転流量比率を予め増大させておく増段用過渡調整を行なう熱源システム運転方法。
【請求項２】
熱媒を設定出口熱媒温度に冷却又は加熱する熱源機とその熱源機に熱媒を送給する一次ポンプとを直列接続した熱源ユニットを負荷機器に対する熱媒循環路に並列状態で複数介装し、
これら熱源ユニットの並列群と前記負荷機器との間において前記熱媒循環路における負荷機器側への往路部分と負荷機器側からの還路部分とを接続するバイパス路を設けるとともに、
前記熱媒循環路における前記バイパス路の接続点よりも負荷機器寄りの箇所に前記負荷機器に対して熱媒を送給する二次ポンプを介装し、
前記負荷機器における負荷熱量の変化に応じて前記熱源ユニットの運転ユニット数を変更する熱源台数制御、及び、負荷機器側の熱媒流量である二次流量の変化に応じて運転一次ポンプの送出流量の調整により熱源ユニット側の熱媒流量である一次流量を調整する一次流量制御を実行する制御手段を設けてある熱源システムであって、
前記制御手段は、前記熱源台数制御で前記熱源ユニットの運転ユニット数を増加させる増段処理に際して、前記一次流量制御での前記二次流量に対する前記一次流量の比率である運転流量比率を予め増大させておく増段用過渡制御を実行する構成にしてある熱源システム。
【請求項３】
前記制御手段は、運転熱源ユニットに対する前記一次流量の配分について、運転熱源ユニット全体としての運転状態が所定の最適運転状態になる最適流量配分比率を熱源システム構成機器の特性情報に基づく所定の選定手法により選定して、その最適流量配分比率に応じて運転一次ポンプの送出流量を調整する最適流量配分制御を前記一次流量制御とともに実行する構成にしてある請求項２記載の熱源システム。
【請求項４】
前記制御手段は、前記増段用過渡制御の実行時にも前記最適流量配分制御を継続して実行する構成にしてある請求項３記載の熱源システム。
【請求項５】
前記制御手段は、前記一次流量制御又は前記最適流量配分制御において運転熱源機夫々の負荷率のうち最も小さいものが設定閾負荷率まで増大したとき、前記増段用過渡制御を実行する構成にしてある請求項２〜４のいずれか１項に記載の熱源システム。
【請求項６】
前記制御手段は、前記増段用過渡制御において前記運転流量比率を増大させるのに、前記負荷熱量の増大に応じて前記運転流量比率を漸次的に増大させる構成にしてある請求項２〜５のいずれか１項に記載の熱源システム。
【請求項７】
前記制御手段は、前記増段用過渡制御において前記運転流量比率を増大させるのに、前記負荷機器における入出口熱媒温度差が設計値より大きいほど前記運転流量比率の増大幅を大きくする構成にしてある請求項２〜６のいずれか１項に記載の熱源システム。
【請求項８】
前記制御手段は、前記増段用過渡制御において前記運転流量比率を増大させるのに、前記負荷機器の入口熱媒温度が前記負荷機器の適正入口熱媒温度よりも負荷機器能力の低減側に逸脱しているとき、その逸脱がないときよりも前記運転流量比率の増大幅を大きくする構成にしてある請求項２〜７のいずれか１項に記載の熱源システム。
【請求項９】
前記制御手段は、前記増段処理を実行した後の所定保持期間の間、その増段処理で新たに起動した熱源ユニットの一次ポンプ送出流量を設定制限流量に固定して、前記一次流量が前記増段用過渡制御による増大一次流量から前記設定制限流量だけ増大した状態を保つ増段後保持制御を実行し、その所定保持期間が経過した後、前記増段後保持制御を解除して前記一次流量制御に復帰する構成にしてある請求項２〜８のいずれか１項に記載の熱源システム。
【発明の詳細な説明】
【技術分野】
【０００１】
本発明は、空調設備などで用いる熱源システム運転方法及び熱源システムに関し、
詳しくは、熱媒を設定出口熱媒温度に冷却又は加熱する熱源機とその熱源機に熱媒を送給する一次ポンプとを直列接続した熱源ユニットを負荷機器に対する熱媒循環路に並列状態で複数介装し、これら熱源ユニットの並列群と前記負荷機器との間において前記熱媒循環路における負荷機器側への往路部分と負荷機器側からの還路部分とを接続するバイパス路を設けるとともに、前記熱媒循環路における前記バイパス路の接続点よりも負荷機器寄りの箇所に前記負荷機器に対して熱媒を送給する二次ポンプを介装した熱源システムにおいて、
前記負荷機器における負荷熱量の変化に応じて前記熱源ユニットの運転ユニット数を変更する熱源台数調整、及び、負荷機器側の熱媒流量である二次流量の変化に応じて運転一次ポンプの送出流量の調整により熱源ユニット側の熱媒流量である一次流量を調整する一次流量調整を行なう熱源システム運転方法に関する。
【０００２】
また、それら熱源台数調整及び一次流量調整として、前記負荷機器における負荷熱量の変化に応じて前記熱源ユニットの運転ユニット数を変更する熱源台数制御、及び、負荷機器側の熱媒流量である二次流量の変化に応じて運転一次ポンプの送出流量の調整により熱源ユニット側の熱媒流量である一次流量を調整する一次流量制御を実行する制御手段を設けた熱源システムに関する。
【背景技術】
【０００３】
従来、この種の熱源システム（及びその運転方法）については、熱源機の運転効率が異なる２以上の熱源機を運転する場合、一次流量制御として、熱源ユニット側の熱媒流量である一次流量（即ち、運転一次ポンプの合計送出流量）を負荷機器側の熱媒流量である二次流量（負荷流量とも言う）に等しい流量に調整するとともに、その一次流量を運転熱源機の運転効率に応じた配分比率で運転熱源機に配分するように運転一次ポンプの送出流量を調整する流量配分制御を実施するものが提案されている。（特許文献１参照、特に段落００２０）
【先行技術文献】
【特許文献】
【０００４】
【特許文献１】特開２００７−２９２３７４号
【発明の概要】
【発明が解決しようとする課題】
【０００５】
しかし、上記の如く一次流量制御において一次流量を二次流量に等しい流量に調整するだけでは、負荷機器における負荷熱量の変化に応じて熱源ユニットの運転ユニット数を変更する熱源台数制御で熱源ユニットの運転ユニット数を増加させる増段処理（即ち、熱源機及び一次ポンプの運転台数を増加させる処理）を行なった際に、負荷機器に供給する熱媒の温度である負荷機器の入口熱媒温度が適正入口熱媒温度よりも負荷機器能力の低減側（即ち、熱源機で熱媒を冷却する冷熱熱源システムでは温度上昇側、また、熱源機で熱媒を加熱する温熱熱源システムでは温度低下側）へ大きく変動した状態になり、そのことで負荷機器の機能に支障を来たす問題があった。
【０００６】
なお、ここで言う適正入口熱媒温度とは負荷機器が処理対象を所要の目標状態に処理し得る負荷機器の入口熱媒温度であり、一次流量が二次流量と等しい流量に調整される一次流量制御の実行下では熱源機の設定出口熱媒温度と等しい温度である。
【０００７】
増段処理を行った際に上記の如く負荷機器の入口熱媒温度が負荷機器能力の低減側に変動する原因については、熱源機は一般に、起動後、その出口熱媒温度が設定出口熱媒温度（即ち、所定の冷却温度ないし加熱温度）になるまでの立ち上がり時間としてかなりの長時間を要する。
【０００８】
このため、この種の熱源システムでは、熱源台数制御における増段処理で熱源ユニットの運転ユニット数を増加させたとき、その増段処理で新たに起動した熱源機の出口熱媒温度が設定出口熱媒温度になるまでの立ち上がり時間の間、既に運転状態にある熱源機から送出される設定出口熱媒温度の熱媒（例えば、適正に冷却された７℃の熱媒）と、新たに起動した熱源機から送出される未だ設定出口熱媒温度に立ち上がっていない熱媒（例えば、冷却不足の１０℃〜１２℃の熱媒）とが混合された状態で負荷機器に供給されることになり、これが原因で、負荷機器の入口熱媒温度が熱源能力不足側に変動する現象が生じる。
【０００９】
しかし、一次流量を二次流量と等しい流量に調整する一次流量制御の実行下では、この増段処理の際の熱媒温度変動は不可避な現象ではあるが、負荷機器が設計通りの運転状態にあれば、その変動幅も小さく、また、設計段階である程度見込まれてもいるため、それほど大きな問題とはならない。
【００１０】
一方、この種の熱源システムでは、この増段処理の際の熱媒温度変動とは別に、熱源システムの運転状況によって負荷機器における入口熱媒と負荷機器で保有冷熱や保有温熱が消費された出口熱媒との温度差が設計値よりも大きくなることがあり、このように負荷機器の入出口熱媒温度差が過大な状態になっているとき、負荷機器側の熱媒流量である二次流量は負荷機器の入出口熱媒温度差が設計値となる設計二次流量よりも過小な状態にあり、また、それに伴い一次流量制御により二次流量と等しい流量に調整される一次流量も同じく過小な状態になっている。
【００１１】
そして、このように負荷機器の入出口熱媒温度差が過大で二次流量及び一次流量がともに過小になっている状況で、増段処理が行なわれて前述の熱媒温度変動が発生すると、既に運転状態にある熱源機から送出される過小流量状態にある設定出口熱媒温度の熱媒に新たに起動した熱源機から送出される未だ設定出口熱媒温度に立ち上がっていない熱媒が相対的に大きい混合比率で混合される状態になるため、負荷機器が設計通りの運転状態にあって負荷機器の入出口熱媒温度差が設計値となっているときよりも、既に運転状態にある熱源機から送出される熱媒流量（即ち、増段処理の前の一次流量）が過小になっている分、増段処理を行った際の熱媒温度変動の変動幅が大きくなる。
【００１２】
即ち、このことが原因で、増段処理を行なった際に負荷機器の入口熱媒温度が適正入口熱媒温度よりも負荷機器能力の低減側へ大きく変動した状態になって負荷機器の機能に支障を来たす問題を生じていた。
【００１３】
また、負荷機器の入出口熱媒温度差は一般に負荷機器の負荷熱量が大きくて現時点の運転熱源ユニットでは負荷熱量を処理し難くなった状況（即ち、増段処理が迫った状況）で過大になり易いことも、この問題を一層顕著なものにしていた。
【００１４】
この実情に鑑み、本発明の主たる課題は、合理的な流量制御形態を採用することで上記問題を効果的に解消する点にある。
【課題を解決するための手段】
【００１５】
本発明の第１特徴構成は熱源システム運転方法に係り、その特徴は、
熱媒を設定出口熱媒温度に冷却又は加熱する熱源機とその熱源機に熱媒を送給する一次ポンプとを直列接続した熱源ユニットを負荷機器に対する熱媒循環路に並列状態で複数介装し、
これら熱源ユニットの並列群と前記負荷機器との間において前記熱媒循環路における負荷機器側への往路部分と負荷機器側からの還路部分とを接続するバイパス路を設けるとともに、
前記熱媒循環路における前記バイパス路の接続点よりも負荷機器寄りの箇所に前記負荷機器に対して熱媒を送給する二次ポンプを介装した熱源システムにおいて、
前記負荷機器における負荷熱量の変化に応じて前記熱源ユニットの運転ユニット数を変更する熱源台数調整、及び、負荷機器側の熱媒流量である二次流量の変化に応じて運転一次ポンプの送出流量の調整により熱源ユニット側の熱媒流量である一次流量を調整する一次流量調整を行なう熱源システム運転方法であって、
前記熱源台数調整で前記熱源ユニットの運転ユニット数を増加させる増段処理に際して、前記一次流量調整での前記二次流量に対する前記一次流量の比率である運転流量比率を予め増大させておく増段用過渡調整を行なう点にある。
【００１６】
つまり、この方法によれば、増段処理に際して増段用過渡調整により上記運転流量比率を予め増大させておくから、何らかの原因で負荷機器の入出口熱媒温度差が設計値よりも過大になって二次流量が過小になっている状況で増段処理が行われるとしても、既に運転状態にある熱源機から送出される熱媒流量（即ち、増段処理に際しての一次流量）が一次流量調整のために二次流量とともに過小な状態になることを上記運転流量比率の増大による一次流量の増大分をもって効果的に抑止することができる。
【００１７】
従って、そのような状況で増段処理が行われて、既に運転状態にある熱源機から送出される設定出口熱媒温度の熱媒と新たに起動された熱源機から送出される未だ設定出口熱媒温度に立ち上がっていない熱媒とが混合状態で負荷機器に供給される状況になったとしても、その混合が原因で生じる負荷機器入口熱媒温度の負荷機器能力低減側への変動はその変動幅が効果的に縮減されたものになる。
【００１８】
即ち、このことにより、増段処理を行なった際に負荷機器の入口熱媒温度が適正入口熱媒温度よりも負荷機器能力の低減側へ大きく変動した状態になる先述の問題（つまり、一次流量の過小化と増段処理で新たに起動した熱源機の立ち上がり遅れとが重なって生じる問題）を効果的に抑止することができて、増段処理にかかわらず負荷機器の機能を安定的に維持することができる。
【００１９】
なお、増段用過渡調整により運転流量比率を増大させた状態において一次流量と二次流量との差分は、バイパス路において生じる差分流量のバイパス流により吸収される。
【００２０】
因みに、増段処理を行なった際に負荷機器の入口熱媒温度が適正入口熱媒温度よりも負荷機器能力の低減側へ大きく変動した状態になるのを抑止するのに、一次流量を常に二次流量よりも十分に大きい流量に維持するようにした場合、バイパス路において上記差分流量のバイパス流が常時形成される分、運転一次ポンプの動力消費が嵩むが、上記構成によれば、増段処理の際のみ増段用過渡調整により運転流量比率を増大させて一次流量を増大させるから、通常時はそのような運転一次ポンプの浪費的な動力消費を回避しながら、増段処理を行なった際の負荷機器における入口熱媒温度の負荷機器能力低減側への大きな変動を効果的に抑止することができる。
【００２１】
なお、上記方法の実施において通常時の一次流量調整では、一次流量を二次流量に等しい流量に調整する調整方式に限らず、一次流量を二次流量よりも所定比率だけ大きい流量に調整する調整方式や、一次流量を二次流量よりも所定比率だけ小さい流量に調整する方式（例えば、後述のバイパス利用一次流量制御）を採用してもよいが、好ましくは、一次流量を二次流量よりも僅かに大きい流量に調整する調整方式を採用するのが望ましい。
【００２２】
即ち、通常時の一次流量調整で一次流量を二次流量よりも僅かに大きい流量に調整して、バイパス路において熱媒循環路における往路部分側から還路部分側に向かう僅かなバイパス流（正のバイパス流）が維持されるようにすれば、バイパス路において還路部分側から往路部分側に向かう逆向きのバイパス流（負のバイパス流）が偶発的に生じるのを抑止することができ、これにより、その逆向きのバイパス流が原因で負荷機器の入口熱媒温度が負荷機器能力の低減側に変動することも防止することができる。
【００２３】
また、上記構成の実施において増段用過渡調整の開始時点については、負荷機器における負荷熱量が運転熱源ユニット全体としての能力調整範囲における上限寄りの所定閾能力まで増大したときに増段用過渡調整を開始するなど、熱源システムの特性や運転条件などに応じて適当な開始時点を適宜選択すればよい。
【００２４】
増段用過渡調整により増大させる運転流量比率の比率幅（増大幅）も熱源システムの特性や運転条件などに応じて適宜決定すればよく、熱源システムの運転状況に応じて増大させる比率幅を変更するようにしてもよい。
【００２５】
増段用過渡調整においては熱源システムの運転を極力安定的に保つため運転流量比率を漸次的に増大させるのが望ましく、負荷機器の負荷熱量の増大に応じて運転流量比率を漸次的に増大させるようにしてもよい。
【００２６】
増段用過渡調整において運転流量比率を漸次的に増大させる場合、運転流量比率を連続的に増大させる調整方式あるいは多段階的に増大させる調整方式のいずれを採用してもよい。
【００２７】
さらに、増段用過渡調整において運転流量比率を漸次的に増大させる場合、その増大速度（即ち、単位時間当たりの比率変化量）も、熱源システムの特性や運転条件などに応じて適当な速度を適宜選択すればよい。
【００２８】
上記方法の実施において熱源台数調整、一次流量調整、増段用過渡調整の夫々は、種々の計測情報や熱源システム構成機器の特性情報などに基づき自動的に行なう実施形態、あるいは、システム管理者などが人為操作により行なう実施形態、あるいはまた、その一部のみを自動的に行い残部を人為操作により行なう実施形態のいずれを採用してもよい。
【００２９】
本発明の第２特徴構成は熱源システムに係り、その特徴は、
熱媒を設定出口熱媒温度に冷却又は加熱する熱源機とその熱源機に熱媒を送給する一次ポンプとを直列接続した熱源ユニットを負荷機器に対する熱媒循環路に並列状態で複数介装し、
これら熱源ユニットの並列群と前記負荷機器との間において前記熱媒循環路における負荷機器側への往路部分と負荷機器側からの還路部分とを接続するバイパス路を設けるとともに、
前記熱媒循環路における前記バイパス路の接続点よりも負荷機器寄りの箇所に前記負荷機器に対して熱媒を送給する二次ポンプを介装し、
前記負荷機器における負荷熱量の変化に応じて前記熱源ユニットの運転ユニット数を変更する熱源台数制御、及び、負荷機器側の熱媒流量である二次流量の変化に応じて運転一次ポンプの送出流量の調整により熱源ユニット側の熱媒流量である一次流量を調整する一次流量制御を実行する制御手段を設けてある熱源システムであって、
前記制御手段は、前記熱源台数制御で前記熱源ユニットの運転ユニット数を増加させる増段処理に際して、前記一次流量制御での前記二次流量に対する前記一次流量の比率である運転流量比率を予め増大させておく増段用過渡制御を実行する構成にしてある点にある。
【００３０】
つまり、この構成では、前述した第１特徴構成の熱源システム運転方法において実施する負荷熱量の変化に応じた熱源台数調整、二次流量の変化に応じた一次流量調整、並びに、増段処理に際して一次流量調整での二次流量に対する一次流量の比率である運転流量比率を予め増大させておく増段用過渡調整の夫々を熱源台数制御、一次流量制御、並びに、増段用過渡制御として種々の計測情報や熱源システム構成機器の特性情報などに基づき制御手段に実行させる。
【００３１】
従って、増段処理を行なった際に負荷機器の入口熱媒温度が適正入口熱媒温度よりも負荷機器能力の低減側へ大きく変動した状態になるのを効果的に防止することができて、増段処理かかわらず負荷機器の機能を安定的に維持し得るという前述運転方法により得られる効果を人手を要さず自動的かつ確実に得ることができる。
【００３２】
本発明の第３特徴構成は第２特徴構成の実施に好適な実施形態を特定するものであり、その特徴は、
前記制御手段は、運転熱源ユニットに対する前記一次流量の配分について、運転熱源ユニット全体としての運転状態が所定の最適運転状態になる最適流量配分比率を熱源システム構成機器の特性情報に基づく所定の選定手法により選定して、その最適流量配分比率に応じて運転一次ポンプの送出流量を調整する最適流量配分制御を前記一次流量制御とともに実行する構成にしてある点にある。
【００３３】
つまり、この構成によれば、所定の最適運転状態として例えば運転熱源ユニット全体としての熱源機消費エネルギが最小となる運転状態を選択した場合、最適流量配分制御により、運転熱源ユニットに対する一次流量の配分について運転熱源ユニット全体としての熱源機消費エネルギが最小となる最適流量配分比率が自動的に選定され、その最適流量配分比率で運転熱源ユニットに対して一次流量が配分される。
【００３４】
即ち、このことにより、運転熱源ユニット全体としての熱源機の消費エネルギを効果的かつ確実に低減することができて、熱源システム全体としての消費エネルギを効果的かつ確実に低減することができる。
【００３５】
従って、所定の最適運転状態として所要の目的で種々の運転状態を選択することにより、運転熱源ユニットに対する一次流量配分比率の選定上で、熱源システムの運転を所要の目的に即して最適化することができ、この点で一層優れた熱源システムにすることができる。そして、特に複数の熱源ユニットにおける熱源機に能力や性能あるいは形式や構造の異なる異種のものが含まれる場合に極めて有用である。
【００３６】
なお、上記構成の実施において所定の最適運転状態としては、熱源機消費エネルギが最小となる運転状態に限らず、運転コストが最小となる運転状態や、換算二酸化炭素排出量が最小となる運転状態、あるいはまた、熱源機消費エネルギ、運転コスト、換算二酸化炭素排出量などの２以上の運転評価値の夫々に重み係数を乗じた値の和が最小となる運転状態など、種々の運転状態を最適運転状態として採用することができる。
【００３７】
また、上記構成の実施において採用する最適流量配分比率の選定手法についても、熱源システム構成機器の特性情報に基づく数式演算や運転シミュレートにより運転熱源ユニットに対する一次流量の最適流量配分比率を選定する手法、あるいはまた、熱源システム構成機器の機器特性に基づき予め作成したデータテーブルからの読み出しにより運転熱源ユニットに対する一次流量の最適流量配分比率を選定する手法など、種々の手法を採用することができる。
【００３８】
そしてまた、上記構成の実施においては、運転熱源ユニットに対する一次流量の最適配分に加え、運転熱源ユニットの組み合わせについても、運転熱源ユニット全体としての運転状態が所定の最適運転状態となる最適組み合わせを熱源システム構成機器の特性情報に基づく所定の選定手法により選定して、その最適組み合わせで熱源ユニットを運転する熱源機最適組み合わせ制御を制御手段に実行させるのが好ましい。
【００３９】
本発明の第４特徴構成は第３特徴構成の実施に好適な実施形態を特定するものであり、その特徴は、
前記制御手段は、前記増段用過渡制御の実行時にも前記最適流量配分制御を継続して実行する構成にしてある点にある。
【００４０】
つまり、増段処理で新たに起動する熱源ユニットの存在がある以上、限界はあるものの、上記の如く最適流量配分制御を増段用過渡制御の実行時も継続して実行することにより、運転熱源ユニットに対する一次流量配分の増段処理の前後における連続性を高めることができ、これにより、熱源システムの運転安定性を一層高めることができる。
【００４１】
また、この構成によれば、増段用過渡制御の実行期間中についても、消費エネルギや運転コストあるいは換算二酸化炭素排出量を効果的に低減するなどの面で熱源システムの運転を最適化することができ、そのことで消費エネルギの低減や運転コストの低減あるいは換算二酸化炭素排出量の低減などを一層効果的に達成することができる。
【００４２】
本発明の第５特徴構成は第２〜第４特徴構成のいずれかの実施に好適な実施形態を特定するものであり、その特徴は、
前記制御手段は、前記一次流量制御又は前記最適流量配分制御において運転熱源機夫々の負荷率のうち最も小さいものが設定閾負荷率まで増大したとき、前記増段用過渡制御を実行する構成にしてある点にある。
【００４３】
つまり、熱源機の最大出力に対する現状出力の比率である負荷率について、運転熱源機夫々の負荷率は一次流量が調整されることで変化し、また、最適流量配分制御により運転熱源ユニットに対する一次流量の配分比率が調整されることでも変化する。
【００４４】
従って、上記の如く一次流量制御又は最適流量配分制御において、運転熱源機夫々の負荷率のうち最も小さいものが設定閾負荷率（例えば９０％）まで増大したとき増段用過渡制御を実行するようにすれば、運転熱源機夫々の負荷率がほぼ１００％となって増段処理に至る時点よりも前の適切な時点で確実に二次流量に対する一次流量の比率である運転流量比率を増段処理に備えて増大させることができ、これにより、第１特徴構成の熱源システム運転方法により得られる前述の効果を一層確実かつ効果的に得ることができる。
【００４５】
本発明の第６特徴構成は第２〜第５特徴構成のいずれかの実施に好適な実施形態を特定するものであり、その特徴は、
前記制御手段は、前記増段用過渡制御において前記運転流量比率を増大させるのに、前記負荷熱量の増大に応じて前記運転流量比率を漸次的に増大させる構成にしてある点にある。
【００４６】
つまり、増段用過渡制御において運転流量比率を急激に増大させた場合、熱源システムの運転が不安定になる虞があるが、上記の如く増段用過渡制御において運転流量比率を負荷機器における負荷熱量の増大に応じて漸次的に増大させるようにすれば、運転流量比率の急激な変化に原因する熱源システム運転の不安定化を回避することができ、熱源システムの運転安定性を高く維持することができる。
【００４７】
また、増段用過渡制御において運転流量比率を単に一定の増大速度で増大させる方式では、負荷熱量の増大が遅くて増段処理に至るまでの時間が長い場合に、増段用過渡制御による運転流量比率の増大で一次流量を増大させた増大完了状態が長く続くことになって、その分、運転一次ポンプの動力消費が嵩むが、上記の如く増段用過渡制御において運転流量比率を負荷機器における負荷熱量の増大に応じて増大させるようにすれば、そのような運転一次ポンプの浪費的な動力消費も効果的に抑止することができ、熱源システムの消費動力も一層効果的に低減することができる。
【００４８】
そしてまた、増段用過渡制御において運転流量比率を単に一定の増大速度で増大させる方式では、逆に負荷熱量の増大が早くて増段処理に至るまでの時間が短い場合に、増段用過渡制御による運転流量比率の増大が間に合わず、負荷機器の入口熱媒温度が負荷機器能力の低減側へ大きく変動した状態になることを十分に抑止できなくなる虞もあるが、上記の如く増段用過渡制御において運転流量比率を負荷機器における負荷熱量の増大に応じて増大させれば、そのような虞も回避することができて、増段処理を行った際に負荷機器の入口熱媒温度が負荷機器能力の低減側へ大きく変動した状態になることを一層確実に抑止することができる。
【００４９】
なお、上記構成の実施において増段用過渡制御での単位負荷熱量の変化に対する運転流量比率の増大率（別言すれば、増段用過渡制御を開始する閾負荷熱量）は、熱源システムの運転安定性を維持できる範囲で熱源システムの特性や運転条件などに応じて適宜決定すればよい。
【００５０】
本発明の第７特徴構成は第２〜第６特徴構成のいずれかの実施に好適な実施形態を特定するものであり、その特徴は、
前記制御手段は、前記増段用過渡制御において前記運転流量比率を増大させるのに、前記負荷機器における入出口熱媒温度差が設計値より大きいほど前記運転流量比率の増大幅を大きくする構成にしてある点にある。
【００５１】
つまり、負荷機器の入出口熱媒温度差が設計値より大きいほど、換言すれば、負荷機器における入出口熱媒温度差の過大化が進んで二次流量及び一次流量の過小化が進んでいるほど、増段処理を行った際に生じる負荷機器入口熱媒温度の負荷機器能力低減側への変動はその変動幅が大きくなる。
【００５２】
従って、上記の如く増段用過渡制御において負荷機器の入出口熱媒温度差が設計値より大きいほど前記運転流量比率の増大幅を大きくするようにすれば、その運転流量比率の増大による一次流量の増大幅を二次流量及び一次流量の過小化の度合に応じたものにして、それら二次流量及び一次流量の過小化の度合にかかわらず、増段処理を行なった際に生じる負荷機器入口熱媒温度の負荷機器能力低減側への変動を一層確実かつ効果的に抑止することができる。
【００５３】
なお、本発明の実施においては、負荷機器の入出口熱媒温度差が設計値以下の場合（即ち、二次流量及び一次流量が過小になっていない場合）には、上記運転流量比率の増大幅を零にするなどして、増段用過渡制御を不実施にするようにしてもよい。
【００５４】
本発明の第８特徴構成は第２〜第７特徴構成のいずれかの実施に好適な実施形態を特定するものであり、その特徴は、
前記制御手段は、前記増段用過渡制御において前記運転流量比率を増大させるのに、前記負荷機器の入口熱媒温度が前記負荷機器の適正入口熱媒温度よりも負荷機器能力の低減側に逸脱しているとき、その逸脱がないときよりも前記運転流量比率の増大幅を大きくする構成にしてある点にある。
【００５５】
つまり、何らかの原因でバイパス路において熱媒循環路の還路部分側から往路部分側へ向かう逆向きバイパス流（負のバイパス流）が発生すると、その逆向きバイパス流の熱媒（即ち、負荷機器で保有冷熱や保有温熱を消費した熱媒）が負荷機器への供給熱媒に混入する状態になり、このため、負荷機器の入口熱媒温度が適正入口熱媒温度よりも負荷機器能力低減側に逸脱することがある。そして、このとき一次流量は二次流量とは関係なく実質的に過小な状態になっている。
【００５６】
従って、上記の如く負荷機器の入口熱媒温度が負荷機器の機能を良好に維持し得る適正入口熱媒温度よりも負荷機器能力低減側に逸脱しているとき増段用過渡制御による運転流量比率増大の増大幅を大きくして、その運転流量比率の増大による一次流量の増大幅をさらに大きくするようにすれば、上記の如き逆向きバイパス流の発生状態も効果的に解消することができて、負荷機器の入口熱媒温度が逆向きバイパス流の発生に原因して適正入口熱媒温度よりも負荷機器能力低減側に逸脱している状態を効果的に解消することができる。
【００５７】
即ち、この構成によれば、増段処理を行なった際に負荷機器の入口熱媒温度が適正入口熱媒温度よりも負荷機器能力低減側へ大きく変動した状態になることを増段用過渡制御により防止するのみならず、負荷機器の入口熱媒温度が逆向きバイパス流の発生に原因して適正入口熱媒温度よりも負荷機器能力低減側に逸脱した状態になることも上記増段用過渡制御により効果的に解消することができ、これにより、負荷機器の入口熱媒温度を適正入口熱媒温度に維持する機能を一層高めることができて、負荷機器の機能を一層安定的に保つことができる。
【００５８】
なお、上記構成の実施において負荷機器の入口熱媒温度が適正入口熱媒温度よりも負荷機器能力低減側に逸脱しているとき運転流量比率の増大幅を大きくするのに、その増大幅は熱源システムの特性や運転条件などに応じて適宜決定すればよい。
【００５９】
また、運転流量比率の増大幅を負荷機器の入口熱媒温度と適正入口熱媒温度との偏差（換言すれば、適正入口熱媒温度からの逸脱度）に応じて変更するなどしてもよい。
【００６０】
本発明の第９特徴構成は第２〜第８特徴構成のいずれかの実施に好適な実施形態を特定するものであり、その特徴は、
前記制御手段は、前記増段処理を実行した後の所定保持期間の間、その増段処理で新たに起動した熱源ユニットの一次ポンプ送出流量を設定制限流量に固定して、前記一次流量が前記増段用過渡制御による増大一次流量から前記設定制限流量だけ増大した状態を保つ増段後保持制御を実行し、その所定保持期間が経過した後、前記増段後保持制御を解除して前記一次流量制御に復帰する構成にしてある点にある。
【００６１】
つまり、増段処理の後、その増段処理で新たに起動した熱源機の出口熱媒温度が立ち上がる以前に通常の一次流量制御に復帰して増段用過渡制御による運転流量比率の増大状態（即ち、一次流量の増大状態）を解除すると、増段用過渡制御を実施しない場合と同様に負荷機器の入口熱媒温度が負荷機器能力低減側に変動してしまう虞が高いことから、増段処理後における通常の一次流量制御への復帰は増段処理で新たに起動した熱源機の出口熱媒温度が十分に立ち上がった後にすべきである。
【００６２】
しかし、増段処理後において増段用過渡制御による運転比率の増大状態（一次流量の増大状態）を新たに起動した熱源機の出口熱媒温度が十分に立ち上がるまで保持するにしても、新たに起動した熱源機の出口熱媒温度が十分に立ち上がる以前に、運転熱源ユニットに対する増段処理後の一次流量配分（例えば、均等配分や運転効率に応じた配分など）で新たに起動した熱源機の処理熱媒流量が大きくなると、未だ温度的に立ち上がっていない熱媒の一次流量中における混合比率が大きくなり、そのことで負荷機器の入口熱媒温度が負荷機器能力の低減側に変動してしまう虞が残る。
【００６３】
これに対し、上記構成によれば、増段処理を実行した後の所定保持期間の間、増段後保持制御として増段用過渡制御による一次流量の増大状態を保つとともに、新たに起動した熱源ユニットの一次ポンプ送出流量（即ち、新たに起動した熱源機の処理熱媒流量）を設定制限流量に固定するから、所定保持期間として適当な期間を確保すれば、増段用過渡制御による一次流量の増大状態を尚早に解除することに原因する負荷機器入口熱媒温度の負荷機器能力低減側への変動を確実に防止するとともに、増段処理後の一次流量配分で新たに起動した熱源機の処理熱媒流量が大きくなることに原因する負荷機器入口熱媒温度の負荷機器能力低減側への変動も効果的に防止することができる。
【００６４】
即ち、このことにより、増段処理の際に負荷機器の入口熱媒温度が適正入口熱媒温度よりも負荷機器能力の低減側に変動することを一層効果的かつ確実に抑止することができる。
【００６５】
なお、上記構成の実施において所定保持期間は、増段処理で新たに起動した熱源機の出口熱媒温度の計測値が設定出口熱媒温度になるまでの期間や、熱源機の起動後、その出口熱媒温度が設定出口熱媒温度に立ち上がる時間を見込んだ設定時間など、増段処理で新たに起動した熱源機が立ち上がるのに要する時間を概ね確保できる期間であれば、どのような決定形態で期間長を決定するものであってもよい。
【００６６】
第１特徴構成の熱源システム運転方法の実施においては、上述第３〜第９特徴構成で制御手段に実行させる各制御をシステム管理者が人為的に行なうようにしてもよい。
【図面の簡単な説明】
【００６７】
【図１】熱源システムの全体構成図
【図２】制御システムのブロック図
【図３】データテーブルの模式図
【図４】通常時の一次流量制御における運転流量比率αの決定方式を説明するグラフ
【図５】バイパス利用一次流量制御における運転流量比率βの調整方式を説明するグラフ
【図６】通常時の一次流量制御の実行状態を説明する概略システム図
【図７】増段用過渡制御の実行状態を説明する概略システム図
【図８】バイパス利用一次流量制御の実行状態を説明する概略システム図
【発明を実施するための形態】
【００６８】
図１は空調設備などに用いる変流量式の熱源システムを示し、冷水や冷却ブラインなどの熱媒Ｃを設定出口熱媒温度ｔｓｓに冷却する熱源機としての冷凍機１と、その冷凍機１に熱媒Ｃを送給する一次ポンプ２とを直列接続して熱源ユニットＵを構成し、この熱源ユニットＵの複数を負荷機器３群に対する熱媒循環路４に並列状態で介装してある。
【００６９】
一次ポンプ２にはインバータＩＮＶによるモータ回転数の調整により送出流量ｑｓの調整が可能な可変ポンプを用いており、冷凍機１の制御部は、対応する一次ポンプ２の熱媒送出流量ｑｓに応じて冷凍機１の冷却出力を調整することで冷凍機１の出口熱媒温度ｔｓを設定出口熱媒温度ｔｓｓに調整する。
【００７０】
熱源ユニットＵからの送出熱媒Ｃを負荷機器３群に送給する熱媒循環路４の往路部分４ａには、各熱源ユニットＵからの送出熱媒Ｃを集合させる一次ヘッダ５、及び、負荷機器３群に対して熱媒Ｃを送給する二次ヘッダ６を設けてあり、一次ヘッダ５と二次ヘッダ６とは複数の中継路７により接続し、これら中継路７には、一次ヘッダ５の受け入れ熱媒Ｃを二次ヘッダ６を通じて負荷機器３群に送給する二次ポンプ８を介装してある。
【００７１】
また、一次ヘッダ５と二次ヘッダ６とを接続する戻し路９を中継路７と並列に設け、この戻し路９には圧力調整弁１０を介装してある。
【００７２】
負荷機器３群で保有冷熱が消費されて温度上昇した熱媒Ｃ（各負荷機器３から送出されて集合した混合冷媒）を熱源ユニットＵに戻す熱媒循環路４の還路部分４ｂには還りヘッダ１１を設けてあり、この還りヘッダ１１において各熱源ユニットＵに戻す熱媒Ｃを分配する。
【００７３】
一次ヘッダ５と還りヘッダ６とはバイパス路１２で接続してあり、換言すれば、二次ポンプ８の介装箇所よりも熱源ユニットＵ寄りの箇所で熱媒循環路４の往路部分４ａと還路部分４ｂとをバイパス路１２により接続してある。
【００７４】
熱媒循環路４に並列状態で介装された負荷機器３は個別に流量調整弁３ａを備えており、この流量調整弁３ａにより各負荷機器３の負荷熱量ｇｘに応じて各負荷機器３の熱媒流量ｑｘが個別に調整される。
【００７５】
即ち、熱媒循環路４はバイパス路１２により接続した一次ヘッダ５と還りヘッダ６とを境として熱源ユニットＵ側である一次側と負荷機器３側である二次側とに区分されるが、熱媒循環路４における二次側部分の熱媒流量である二次流量Ｑ２（即ち、負荷機器３群全体としての熱媒流量Σｑｘ）は負荷機器３群全体としての負荷熱量Ｇｘ（＝Σｇｘ）に応
じて調整される。
【００７６】
そして、熱源ユニットＵ側の熱媒流量である一次流量Ｑ１（即ち、運転熱源ユニットＵにおける一次ポンプ２の合計送出流量Σｑｓ）と二次流量Ｑ２とが等しい状態（Ｑ１＝Ｑ
２）では、バイパス路１２にバイパス流は生じずバイパス熱媒流量ΔＱ＝０となるが、一次流量Ｑ１が二次流量Ｑ２よりも大きい状態（Ｑ１＞Ｑ２）では、その差分流量ΔＱ（＝Ｑ１−Ｑ２）で往路部分４ａ側から還路部分４ｂ側に向かう正のバイパス流がバイパス路１２に生じ、この正のバイパス流を形成するバイパス熱媒Ｃは負荷機器３群からの戻り熱媒Ｃと還りヘッダ１１で混合して負荷機器３を通過することなく運転熱源ユニットＵに戻される。
【００７７】
また逆に、一次流量Ｑ１が二次流量Ｑ２よりも小さい状態（Ｑ１＜Ｑ２）では、その差分流量ΔＱ（＝Ｑ２−Ｑ１）で還路部分４ｂ側から往路部分４ａ側に向かう負のバイパス流（逆向きバイパス流）がバイパス路１２に生じ、この負のバイパス流を形成するバイパス熱媒Ｃは運転熱源ユニットＵからの送出熱媒Ｃと一次ヘッダ５で混合されて再び負荷機器３群に再び送給される。
【００７８】
二次ポンプ８については後述のシステム制御装置１４が還路部分４ｂの流量計Ｆ２により計測される二次流量Ｑ２の変化に応じて二次ポンプ８の運転台数を変更する二次ポンプ台数制御を実行するとともに、差圧センサＳ３により計測される一次ヘッダ５と二次ヘッダ６との熱媒圧力差Δｐに応じ戻し路９における圧力調整弁１０の開度を調整して負荷機器３群に送給する熱媒Ｃの圧力を適正送給圧力に調整する。
【００７９】
図示は省略したが、この熱源システムは、上記の各構成機器の他、各熱源ユニットＵの冷凍機１に供給する冷却水Ｗを冷却する冷却塔ＣＴや、冷凍機１と冷却塔ＣＴとの間で冷却水Ｗを循環させる冷却水ポンプなども備えている。
【００８０】
また、この熱源システムは制御システムとして、システム管理器１３とシステム制御装置１４とを備えており、これらシステム管理器１３とシステム制御装置１４は相互通信可能にしてある。
【００８１】
システム管理器１３はシステム各部における流量、圧力、温度等の計測情報や記憶手段に格納してある熱源システム構成機器の特性情報（熱源機特性やポンプ特性等の情報）などに基づき各時点における熱源システムの適正運転状態を逐次策定し、その策定結果をシステム制御装置１４に送信する。
【００８２】
これに対し、システム制御装置１４はシステム管理器１３から送信される適正運転状態の策定結果に応じて熱源システムにおける各機器の制御部に制御信号を送信し、これにより、熱源システムの運転状態を基本的にはシステム管理器１３が策定した適正運転状態に即した運転状態にする。
【００８３】
また、システム制御装置１４は熱源システムに装備した種々のセンサから送られる計測情報や各機器の制御部から送られる機器状態情報を受信して、それらの受信情報を適正運転状態の策定等のための情報としてシステム管理器１３に送信する。
【００８４】
センサ類としては、各熱源ユニットＵにおける冷凍機１の入口熱媒温度ｔｒ及び出口熱媒温度ｔｓを計測する温度センサＳ１，Ｓ２、各熱源ユニットＵにおける一次ポンプ２の熱媒送出流量ｑｓを計測する流量計Ｆ１，一次ヘッダ５と二次ヘッド６との熱媒圧力差Δｐを検出する前記差圧センサＳ３、二次ヘッダ６における熱媒温度ｔｉ（即ち、負荷機器３の入口熱媒温度）を計測する温度センサＳ４、二次流量Ｑ２（＝Σｑｘ）を計測する前
記流量計Ｆ２、負荷機器３群からの混合戻り熱媒Ｃの温度ｔｏｍを計測する温度センサＳ５を装備してある。
【００８５】
また、図示は省略したが、外気温度や外気湿度などの外気状態を計測するセンサ、あるいはまた、冷凍機１の入口冷却水温度や出口冷却水温度を計測するセンサなども装備してある。
【００８６】
システム管理器１３及びシステム制御装置１４は熱源システムを統括的に制御する制御手段として次の（イ）〜（チ）の制御処理を実行するものにしてある（図２参照）。
【００８７】
（イ）負荷機器３の適正入口熱媒温度（設定値）ｔｉｓについて
システム管理器１３は、負荷機器３の入口熱媒温度ｔｉについて、計測情報や機器状態情報等に基づき把握する熱源システムの運転状況あるいはシステム管理者からの付与指令などに応じ適正入口熱媒温度（設定値）ｔｉｓを決定する。
【００８８】
この適正入口熱媒温度ｔｉｓは、その温度の熱媒Ｃを負荷機器３群に送給すれば流量調整弁３ａによる熱媒流量ｑｘの調整下で各負荷機器３の負荷熱量ｇｘ（換言すれば、負荷機器３群全体としての負荷熱量Ｇｘ）を十分に処理することができて各負荷機器３の機能を良好に維持し得る温度範囲のうちから決定する熱媒温度であり、本例では、その決定にあたり省エネルギ化の観点から、その温度範囲における上限寄りの熱媒温度（温熱熱源システムでは下限寄りの熱媒温度）を適正入口熱媒温度ｔｉｓとする。
【００８９】
具体的には、この適正入口熱媒温度ｔｉｓを決定するのに例えば次の如き手法を採用することができる。
【００９０】
（手法例１）
熱源システム構成機器の特性情報に基づき予め作成しておくデータテーブルとして、熱負荷演算などにより予め求めた季節や曜日あるいは時刻ごとの適正入口熱媒温度ｔｉｓを書き込んだデータテーブルを記憶手段に記憶させておき、このデータテーブルから該当日や該当時刻の適正入口熱媒温度ｔｉｓを読み出す。
【００９１】
そして、この読み出した温度について現状における実際の負荷熱量Ｇｘなど現在の実際の運転状況に応じた補正が必要か否かを外気状態などの計測情報や処理対象を所要の目標状態に処理する各負荷機器３の運転状態情報などに基づき判定し、補正が不要な場合には、データテーブルから読み出した温度をそのまま適正入口熱媒温度ｔｉｓとして決定する。
【００９２】
また、補正が必要な場合には、読み出した温度を上記計測情報や運転状態情報などに基づき実状に即したものに補正し、その補正後の温度を適正入口熱媒温度ｔｉｓとして決定する。
【００９３】
なお、読み出した温度の補正が必要な場合としては、例えば負荷機器３としての空調機において、処理対象空気の除湿が不要になり処理対象空気の顕熱処理だけが必要になった場合や、処理対象空気の温度や湿度などの処理前の状態が変化した場合などを挙げることができる。
【００９４】
（手法例２）
戻し路９における戻し熱媒流量ｑｂを二次流量Ｑ２に加えた演算最大流量（Ｑ２＋ｑｂ）の熱媒Ｃが負荷機器３群に送給されるとする仮想流量条件の下で、熱源システム構成機器の特性情報や種々の計測情報などに基づき、各負荷機器３が処理対象を処理するのに要する適正入口熱媒温度ｔｉｓを決定する。
【００９５】
つまり、戻し路９における戻し熱媒流量ｑｂは言わば余裕熱媒流量であることから、負荷機器３群全体としての熱媒流量である二次流量Ｑ２のうち各負荷機器３の熱媒流量ｑｘが占める流量占有比率ｒ（ｑｘ）を求め、負荷機器３の夫々について戻し路９の熱媒流量ｑｂにその負荷機器３の流量占有比率ｒ（ｑｘ）を乗じた個別の余裕流量Δｑｘ（＝ｑｂ×ｒ（ｑｘ））を求める。
【００９６】
そして、各負荷機器３の熱媒流量ｑｘに個別余裕流量Δｑｘを加えた個別の演算最大熱媒流量ｑｘｍ（＝ｑｘ＋Δｑｘ）と各負荷機器３が処理する処理対象の処理前条件とを与条件として、各負荷機器３で処理対象を目標状態に処理するのに必要な入口熱媒温度を熱源システム構成機器の特性情報に基づく数式演算や運転シミュレート、あるいは、熱源システム構成機器の特性情報に基づき予め作成したデータテーブルからの読み出しなどにより求め、このように求めた入口熱媒温度を適正入口熱媒温度ｔｉｓとして決定する。
【００９７】
なお、この方式でも、負荷機器３が空調機である場合、処理対象空気を目標状態に冷却処理するのに処理対象空気の除湿が必要か否かや、処理対象空気の温度や湿度などの処理前の状態の変化などにより適正入口熱媒温度ｔｉｓが異なるものになる。
【００９８】
（手法例３）
過去の運転実績や各日の気象予測などに基づきシステム管理者が適正入口熱媒温度ｔｉｓを決定してシステム管理器１３に入力し、これに対し、システム管理器１３は入力された温度を適正入口熱媒温度ｔｉｓとして採用する。
【００９９】
なお、この場合、システム管理器１３は、前述と同様、適正入口熱媒温度として入力された温度について現状の実際の運転状況に応じた補正が必要か否かを外気状態などの計測情報や各負荷機器３の運転状態情報などに基づき判定し、補正が必要な場合には、入力された温度を実状に即したものに補正して、その補正後の温度を適正入口熱媒温度ｔｉｓとして採用するようにするのが望ましい。
【０１００】
適正入口熱媒温度ｔｉｓの決定には上記方式に限らず、その他にも種々の方式を採用できるが、各負荷機器３ごとに適正入口熱媒温度ｔｉｓが異なる場合は、それらの中から最も低温のもの（温熱熱源システムでは最も高温のもの）を負荷機器３群全体としての適正入口熱媒温度ｔｉｓとして採用する。
【０１０１】
また、上記の如き種々の方式により求めた適正入口熱媒温度から所定温度（例えば０．５℃）を減じた温度を最終的な適正入口熱媒温度ｔｉｓとして決定するようにして、安全率を見込むようにしてもよい。
【０１０２】
（ロ）冷凍機１の設定出口熱媒温度（最適値）ｔｓｓについて
システム管理器１３は熱源システムの運転状況やシステム管理者からの付与指令などに応じ冷凍機１の設定出口熱媒温度（最適値）ｔｓｓを選定する。そして、システム制御装置１４はその選定に応じて各冷凍機１の設定出口熱媒温度ｔｓｓを設定変更する。
【０１０３】
この設定出口熱媒温度ｔｓｓは前記の如くシステム管理器１３が決定する負荷機器３の適正入口熱媒温度ｔｉｓ以下の温度範囲のうちから選定する熱媒温度であり、本例ではシステム管理器１３は、冷凍機１の出口熱媒温度ｔｓについて、適正入口熱媒温度ｔｉｓ以下の温度範囲の中から、運転熱源ユニットＵ全体としての運転状態が所定の最適運転状態になる最適出口熱媒温度を熱源システム構成機器の特性情報に基づく所定の選定手法により選定し、その最適出口熱媒温度を冷凍機１の設定出口熱媒温度ｔｓｓとする。
【０１０４】
具体的には、この最適出口熱媒温度（＝ｔｓｓ）の選定手法として例えば次の如き手法を採用することができる。
【０１０５】
適正入口熱媒温度ｔｉｓ以下の温度範囲のうちで、運転熱源ユニットＵ全体としての運転状態について所定の運転評価値ｈａが最良となる最適出口熱媒温度を熱源システム構成機器の特性情報に基づく数式演算や運転シミュレート、あるいは、熱源システム構成機器の特性情報に基づき予め作成したデータテーブルからの読み出しなどにより選定する。
【０１０６】
このときの運転評価値ｈａとしては、運転熱源ユニットＵ全体としての消費エネルギ、運転コスト、換算二酸化炭素排出量、あるいは、それらの２以上の運転評価値の夫々に重み係数を乗じた値の和値、あるいはまた、運転効率など、種々のものを採用することができる。
【０１０７】
つまり、運転評価値ｈａとして運転熱源ユニットＵ全体としての消費エネルギや運転コストを採用した場合、運転熱源ユニットＵ全体としての消費エネルギや運転コストが最小（最良）となる最適出口熱媒温度が選定され、また、運転評価値ｈａとして運転熱源ユニットＵ全体としての運転効率を採用した場合、運転熱源ユニットＵ全体としての運転効率が最大（最良）となる最適出口熱媒温度が選定される。
【０１０８】
また、この最適出口熱媒温度（＝ｔｓｓ）の選定にデータテーブルを用いる場合、図３に示す如く、負荷機器３群全体として負荷熱量Ｇｘと外気湿球温度ｔｏｗと後述する運転熱源ユニットＵの組み合わせＫ（本例では組み合わせ番号で表現）との３者を独立変数とし、かつ、異なる運転評価値ｈａ１〜ｈａ３の各々が最良となる運転評価値ごとの最適出口熱媒温度（ｔｓｓ）を従属変数とするデータテーブルＤａを予め作成しておき、このデータテーブルＤａを用いて各時点の熱源システム運転状況やシステム管理者の付与指令などに応じ、特定運転評価値についての最適出口熱媒温度を設定出口熱媒温度ｔｓｓとして選定するようにしてもよい。
【０１０９】
設定出口熱媒温度ｔｓｓの選定には、その他、種々の手法を採用できるが、設定出口熱媒温度ｔｓｓを連続的に変更することは設定出口熱媒温度ｔｓｓの頻繁な設定変更を招いて熱源システム運転の不安定化を招く虞があることから、ここで選定する設定出口熱媒温度ｔｓｓは所定温度間隔の段階的な温度にするのが望ましい。
【０１１０】
また、システム管理器１３による設定出口熱媒温度ｔｓｓの選定に対して、システム制御装置１４による設定出口熱媒温度ｔｓｓの設定変更に制限を設けるなどしてもよい。
【０１１１】
（ハ）運転熱源ユニットＵの最適組み合わせＫについて
システム管理器１３は、運転熱源ユニットＵの組み合わせについて、運転熱源ユニットＵ全体としての運転状態が所定の最適運転状態となる最適組み合わせＫ（本例では組み合わせ番号で表現）を熱源システム構成機器の特性情報に基づく所定の選定手法により選定する。
【０１１２】
一方、システム制御装置１４は、流量計Ｆ２により計測される二次流量Ｑ２、及び、センサＳ４，Ｓ５により計測される負荷機器３の入口熱媒温度ｔｉと負荷機器３群からの混合戻り熱媒Ｃの温度ｔｏｍとに基づき負荷機器３群全体としての負荷熱量Ｇｘ（＝Ｑ２×（ｔｏｍ−ｔｉ））を演算し、この演算結果に基づき熱源機台数制御として、現状の運転熱源ユニットＵでは負荷機器３群全体としての負荷熱量Ｇｘを処理できない状況になったとき、増段処理として熱源ユニットＵの運転ユニット数を増加させる。
【０１１３】
また、熱源ユニットＵの運転ユニット数を現状の運転ユニット数から減少させても負荷機器３群全体としての負荷熱量Ｇｘを処理できる状況になったとき、減段処理として熱源ユニットＵの運転ユニット数を減少させる。
【０１１４】
そして、このように負荷熱量Ｇｘの変化に応じ熱源ユニットＵの運転ユニット数を変更する熱源台数制御の増減段処理において、システム制御装置１４はシステム管理器１３により選定されているその時の最適組み合わせＫに従って熱源ユニットＵの発停を行い、これにより、運転熱源ユニットＵの組み合わせをシステム管理器１３により選定された最適組み合わせＫに即した組み合わせにする。
【０１１５】
システム管理器１３による上記最適組み合わせＫの選定については例えば次の如き手法を採用することができる。
【０１１６】
過去の運転実績や気象予測などに基づき負荷機器３群全体としての負荷熱量Ｇｘの将来の推移を予測し、この予測負荷推移に基づき、運転熱源ユニットＵのユニット数変更が次に必要になると予測される次回の増減段処理から、その後において運転熱源ユニットＵのユニット数変更が再び必要になると予測される次々回の増減段処理に至るまでの期間を対象期間とする。
【０１１７】
そして、この対象期間中において負荷機器３群全体としての負荷熱量Ｇｘ（予測）を処理し得る運転熱源ユニットＵの組み合わせで、かつ、その対象期間中における運転熱源ユニットＵ全体としての運転状態について所定の運転評価値ｈｂが最良となる最適組み合わせＫを熱源システム構成機器の特性情報に基づく数式演算や運転シミュレート、あるいは、熱源システム構成機器の特性情報に基づき予め作成したデータテーブルからの読み出しなどにより選定する。
【０１１８】
このときの運転評価値ｈｂとしては、前述と同様、運転熱源ユニットＵ全体としての上記対象期間中における消費エネルギや運転コストなど、種々のものを採用することができる。
【０１１９】
（ニ）正の運転流量比率α（一次流量Ｑ１の増大側補正係数）について
ここで言う正の運転流量比率αは、二次流量Ｑ２（＝Σｑｘ）に対する一次流量Ｑ１（
＝Σｑｓ）の増大側の比率であり、一次流量Ｑ１と二次流量Ｑ２との関係を示す式１（Ｑ
１＝α×Ｑ２）においてα≧１の値を採る運転流量比率である。
【０１２０】
そして、システム管理器１３はこの正の運転流量比率αを例えば次の如く決定する。
【０１２１】
運転冷凍機１の最大出力に対する現状出力の比率である負荷率Ｒについて、図４に示す如く運転冷凍機１夫々の負荷率Ｒのうち最小の負荷率Ｒｍｉｎが設定閾負荷率Ｒｓ（例えば負荷率９０％）まで増大すると、その後の最小負荷率Ｒｍｉｎの増大（換言すれば、負荷機器３群全体としての負荷熱量Ｇｘの増大）に応じて正の運転流量比率αを設定最小値αｍｉｎから設定最大値αｍａｘへ向けて比例的に漸次増大させる。
【０１２２】
なお、この正の運転流量比率αについては、バイパス路１２において通常時は正負いずれの向きのバイパス流も生じないように、又は、往路部分４ａ側から還路部分４ｂ側へ向かう僅かな正のバイパス流が生じるように、その最小値αｍｉｎを１．０又は１．０よりも若干大きい値にしておくのが望ましい。
【０１２３】
また、この正の運転流量比率αの最大値αｍａｘについては、同図４に示す如くαｍａｘとして固定値（例えば、２．０）を採用するのに代え、負荷機器３の入出口熱媒温度差Δｔｘ（＝ｔｏ−ｔｉ）が設計値よりも大きいほど最大値αｍａｘを大きくする（換言すれば、正の運転流量比率αの増大幅を大きくする）ようにしたり、また、負荷機器３の入口熱媒温度ｔｉが前述の適正入口熱媒温度ｔｉｓよりも高温側に逸脱しているとき、その逸脱がない場合よりも最大値αｍａｘを大きくする（正の運転流量比率αの増大幅を大きくする）ようにしてもよい。
【０１２４】
（ホ）負の運転流量比率β（一次流量Ｑ１の減少側補正係数）について
ここで言う負の運転流量比率βは、二次流量Ｑ２（＝Σｑｘ）に対する一次流量Ｑ１（
＝Σｑｓ）の減少側の比率であり、一次流量Ｑ１と二次流量Ｑ２との関係を示す式２（Ｑ
１＝β×Ｑ２）においてβ＜１の値を採る運転流量比率である。
【０１２５】
そして本例では、システム管理器１３及びシステム制御装置１４は、この負の運転流量比率βの調整として、後述するバイパス利用一次流量制御の初期工程で、先ず、運転冷凍機１の出口熱媒温度ｔｓが設定出口熱媒温度ｔｓｓに安定している状況下で運転一次ポンプ２の送出流量ｑｓの調整により一次流量Ｑ１（＝Σｑｓ）を漸次的に減少させて、この一次流量Ｑ１の減少操作により負荷機器３の入口熱媒温度ｔｉ（計測値）が前述の如く決定された負荷機器３の適正入口熱媒温度ｔｉｓになる状態に負の運転流量比率β（＜１．０）を調整する（換言すれば、負の運転流量比率βの初期値を決定する）。
【０１２６】
また、その後、後述するバイパス利用一次流量制御において、図５に示す如く負荷機器３の入口熱媒温度ｔｉ（計測値）と適正入口熱媒温度ｔｉｓとの偏差Δｔｉに応じて、その偏差Δｔｉの解消側に一次流量Ｑ１を調整することで、負荷機器３の入口熱媒温度ｔｉが適正入口熱媒温度ｔｉｓとなる状態を維持するように負の運転流量比率β（＜１．０）を調整する。
【０１２７】
なお、このように負荷機器３の入口熱媒温度ｔｉ（計測値）と適正入口熱媒温度ｔｉｓとの偏差Δｔｉに応じた一次流量Ｑ１の調整により負の運転流量比率β（＜１．０）を調整するのに代え、負の運転流量比率βを次の如く決定及び調整するようにしてもよい。
【０１２８】
バイパス路１２において還路部分４ｂ側から往路部分４ａ側へ流れる負のバイパス流を形成するバイパス熱媒Ｃと、運転熱源ユニットＵから送出される設定出口熱媒温度ｔｓｓの熱媒Ｃとの一次ヘッダ５での混合比率について、その混合により負荷機器３の入口熱媒温度ｔｉが適正入口熱媒温度ｔｉｓとなる混合比率ｍ（ｍ＝（Ｑ２−Ｑ１）／Ｑ１，Ｑ２＞Ｑ１）を計測情報に基づき演算により求め、この混合比率ｍが現出される負の運転流量比率βを式３（ｍ＝（Ｑ２−Ｑ１）／Ｑ１）と式２（Ｑ１＝β×Ｑ２）との関係（β＝１／ｍ＋１）に基づく演算により決定する。
【０１２９】
そして、この決定された負の運転流量比率βを目標比率として運転一次ポンプ２の送出流量ｑｓの調整により一次流量Ｑ１を調整することで、負荷機器３の入口熱媒温度ｔｉが適正入口熱媒温度ｔｉｓになる状態に負の運転流量比率βを調整する。
【０１３０】
（ヘ）一次流量制御について
ａ．通常の一次流量制御
システム制御装置１４は、二次流量Ｑ２の変化に応じ一次流量Ｑ１を調整する一次流量制御として、システム管理器１３により決定された負荷機器４の適正入口熱媒温度ｔｉｓとシステム管理器１３による選定に従って設定変更した冷凍機１の設定出口熱媒温度ｔｓｓとの関係について、それら両温度の差温Δｔｓ（＝ｔｉｓ−ｔｓｓ）が設定閾差温Δｔｓｘ未満で、かつ、システム管理器１３が決定する正の運転流量比率αが設定最小値αｍｉｎにある状況では、図６に示す如く、Ｑ１＝α×Ｑ２、α＝αｍｉｎの流量関係を維持するように、二次流量Ｑ２（＝Σｑｘ）の変化に応じ一次流量Ｑ１（＝Σｑｓ）を運転一
次ポンプ２の送出流量調整により調整する通常時の一次流量制御を実行する。
【０１３１】
なお、設定閾差温Δｔｓｘとしては熱源システムの運転条件等に応じて適当な温度差を設定すればよく、例えばΔｔｓｘ＝０を採用してもよい。
【０１３２】
ｂ．増段用過渡制御
また、システム制御装置１４は、上記差温Δｔｓ（＝ｔｉｓ−ｔｓｓ）が設定閾差温Δｔｓｘ未満の状況で、運転冷凍機１における最小負荷率Ｒｍｉｎが設定閾負荷率Ｒｓ以上となりシステム管理器１３により決定される正の運転流量比率αが設定最小値αｍｉｎから漸次的に増大（図３参照）すると、増段用過渡制御として図７に示す如く、正の運転流量比率αに従ってＱ１＝α×Ｑ２、α＞αｍｉｎ≧１．０の流量関係を維持するように二次流量Ｑ２（＝Σｑｘ）の変化に応じ一次流量Ｑ１（Σｑｓ）を調整し、これにより、通
常時の一次流量制御に比べ一次流量Ｑ１を二次流量Ｑ２に対して相対的に増大させる。
【０１３３】
即ち、この増段用過渡制御では、運転冷凍機１における最小負荷率Ｒｍｉｎが１００％負荷率まで上昇（換言すれば、運転冷凍機１夫々の負荷率が１００％に上昇）して熱源台数制御により増段処理が行なわれるのに先立ち、上記の如く正の運転流量比率αを増大させて一次流量Ｑ１を二次流量Ｑ２に対して予め相対的に増大させておくことで、増段処理の際に新たに起動した冷凍機１の立ち上がり遅れに原因して負荷機器３の入口熱媒温度ｔｉが適正入口熱媒温度ｔｉｓよりも上昇側に大きく変動した状態になるのを防止する。
【０１３４】
ｃ．バイパス利用一次流量制御
一方、システム制御装置１４は、上記差温Δｔｓ（＝ｔｉｓ−ｔｓｓ）が設定閾差温Δｔｓｘより大きく、かつ、システム管理器１３が決定する正の運転流量比率αが設定最小値αｍｉｎにある状況では、図８に示す如く、運転熱源ユニットＵから送出される設定出口熱媒温度ｔｓｓの熱媒Ｃと、バイパス路１２において往路部分４ａ側へ向かう負のバイパス流を形成するバイパス熱媒Ｃとの混合により、負荷機器３の入口熱媒温度ｔｉが適正入口熱媒温度ｔｉｓになる状態に、負の運転流量比率βを調整する流量比率調整を伴いながら、Ｑ１＝β×Ｑ２、β＜１．０の流量関係を維持するように二次流量Ｑ２の変化に応じ一次流量Ｑ１を調整するバイパス利用一次流量制御を実行する。
【０１３５】
即ち、このバイパス利用一次流量制御では、負荷機器３を通過した後の熱媒Ｃに残存する保有冷熱を有効利用して、運転熱源ユニットＵから送出される設定出口熱媒温度ｔｓｓの熱媒Ｃと、バイパス路１２において負のバイパス流を形成するバイパス熱媒Ｃとの一次ヘッダ５での混合により、負荷機器３の入口熱媒温度ｔｓを適正入口熱媒温度ｔｉｓに調整する。
【０１３６】
なお、バイパス利用一次流量制御では上述の如く負荷機器３の入口熱媒温度ｔｉと適正入口熱媒温度ｔｉｓとの偏差Δｔｉに応じ負の運転流量比率βを調整して一次流量Ｑ１を調整する形態を採るが、これに加えて、システム制御装置１４は上記差温Δｔｓ（＝ｔｉｓ−ｔｓｓ）が設定閾差温Δｔｓｘより大きい状況で、運転冷凍機１における最小負荷率Ｒｍｉｎが設定閾負荷率Ｒｓ以上となりシステム管理器１３により決定される正の運転流量比率αが設定最小値αｍｉｎから漸次的に増大（図３参照）すると、バイパス利用一次流量制御における増段用過渡制御として、二次流量Ｑ２に対する一次流量Ｑ１の比率である運転流量比率（Ｑ１／Ｑ２）をバイパス利用一次流量制御による調整比率（即ち、上記負の運転流量比率β）よりも正の運転流量比率α（＞αｍｉｎ）の幅だけ予め増大させる制御を実行するものにしてもよい。
【０１３７】
つまり、このバイパス利用一次流量制御における増段用過渡制御により、バイパス利用一次流量制御の実行下において熱源台数制御による増段処理が行なわれる際にも、その増段処理に先立ち、負の運転流量比率βを実質的に増大させて一次流量Ｑ１を二次流量Ｑ２に対して予め相対的に増大させておき、これにより、バイパス利用一次流量制御の実行下においても増段処理の際に新たに起動した冷凍機１の立ち上がり遅れに原因して負荷機器３の入口熱媒温度ｔｉが適正入口熱媒温度ｔｉｓよりも上昇側に変動するのを確実に防止する。
【０１３８】
（ト）一次流量Ｑ１の最適流量配分制御について
システム管理器１３は、運転熱源ユニットＵに対する一次流量Ｑ１の配分について、運転熱源ユニットＵ全体としての運転状態が所定の最適運転状態となる最適流量配分比率ｒ（ｑｓ）を選定する。
【０１３９】
これに対し、システム制御装置１４は上記一次流量制御（増段用過渡制御やバイパス利用一次流量制御を含む）とともに、運転一次ポンプ２の熱媒送出流量ｑｓをシステム管理器１３により選定された最適流量配分比率ｒ（ｑｓ）に従って調整する最適流量配分制御を実行する。
【０１４０】
上記最適流量配分比率ｒ（ｑｓ）の選定については、前述と同様、運転熱源ユニットＵ全体としての運転状態について所定の運転評価値ｈｃが最良となる最適流量配分比率ｒ（ｑｓ）を熱源システム構成機器の特性情報に基づく数式演算や運転シミュレートあるいは熱源システム構成機器の特性情報に基づき予め作成したデータテーブルからの読み出しなどにより選定する方式を採用することができる。
【０１４１】
なお、この最適流量配分制御において、いずれかの運転一次ポンプ２に対する配分流量ｑｓがその一次ポンプ２の最大送出流量を越える場合には、その一次ポンプ２に対する配分流量ｑｓをその一次ポンプ２の最大送出流量にした状態で他の運転一次ポンプ２に対する一次流量配分比率を再決定するのが望ましい。
【０１４２】
また、この最適流量配分制御において、いずれかの運転一次ポンプ２に対する配分流量ｑｓの変更幅が大きくて、その一次ポンプ２の送出流量ｑｓの調整速度が適正範囲の上限よりも大きくなる場合には、その一次ポンプ２の送出流量ｑａの調整速度を適正範囲の上限速度に制限するのが望ましい。
【０１４３】
（チ）増段後保持制御について
システム制御装置１４は、前述の如く増段用過渡制御により一次流量Ｑ１を二次流量Ｑ２に対し予め相対的に増大させた状態で熱源台数制御による増段処理を実行した後、その増段処理で新たに起動した冷凍機１についてセンサＳ２により計測される出口熱媒温度ｔｓが設定出口熱媒温度ｔｓｓに立ち上がるまでの期間を保持期間ΔＴとして、この保持期間ΔＴの間、前述の通常（又はバイパス利用）の一次流量制御及び最適流量配分制御に代え増段後保持制御として、増段処理で新たに起動した熱源ユニットＵにおける一次ポンプ２の熱媒送出流量ｑｓを小流量の設定制限流量ｑｓｍｉｎに固定し、増段処理後の一次流量Ｑ１がその設定制限流量ｑｓｍｉｎ分だけ増段用過渡制御による増大一次流量から増大した状態を保つ。
【０１４４】
そして、システム制御装置１４は、この保持期間ΔＴが経過した後、増段後保持制御を解除して前述の一次流量制御及び最適流量配分制御に復帰する。
【０１４５】
なお、この保持期間ΔＴは、新たに起動した冷凍機１の出口熱媒温度ｔｓの計測値が設定出口熱媒温度ｔｓｓに立ち上がるまでの期間に限らず、新たに起動した冷凍機１の出口熱媒温度ｔｓが設定出口熱媒温度ｔｓｓに立ち上がるのに要する時間を見込んだ設定時間などにしてもよい。
【０１４６】
〔別実施形態〕
上述の実施形態では、負荷熱量Ｇｘの変化に応じて熱源ユニットＵの運転ユニット数を変更する熱源台数制御、二次流量Ｑ２の変化に応じて一次流量Ｑ１を調整する一次流量制御、運転熱源ユニットＵに対する一次流量Ｑ１の配分比率を最適流量配分比率ｒ（ｑｓ）に調整する最適流量配分制御、増段処理に際して運転流量比率α（又はβ）を予め増大させておく増段用過渡制御、増段処理後に一次流量制御及び最適流量配分制御を不実施とする増段後保持制御の夫々を制御手段としてのシステム管理器１３及びシステム制御装置１４に実行させる熱源システムを例示したが、熱源システム運転方法として、これらの制御により行なう各調整の全部ないし一部をシステム管理者が人為的に行なうようにしてもよい。
【０１４７】
前述の実施形態では、負荷機器３の適正入口熱媒温度（設定値）ｔｉｓと冷凍機１の設定出口熱媒温度（最適値）ｔｓｓとの差温Δｔｓが設定閾差温Δｔｓｘ未満か否かで通常時の一次流量制御とバイパス利用一次流量制御とを区別して実行するように説明したが、本発明の実施にあたっては、バイパス利用の一次流量制御を省略して負荷機器３の適正入口熱媒温度ｔｉｓを常に冷凍機１の設定出口熱媒温度ｔｓｓに等しい温度又はほぼ等しい温度にした状態で一次流量制御を行なう制御方式、あるいはまた、冷凍機１の設定出口熱媒温度ｔｓｓと負荷機器３の適正入口熱媒温度ｔｉｓとが等しくなるときに負の運転流量比率βをβ≒１．０にすることをバイパス利用一次流量制御に含めた状態で、通常時の一次流量制御もバイパス利用一次流量制御の一部として実行する制御方式を採用してもよい。
【０１４８】
また、本発明は、熱源ユニットＵを構成する熱源機に冷温水発生機やボイラなどを用いて、その熱源機により熱媒を加熱する温熱熱源システムにも適用できる。
【０１４９】
その他、本発明の実施において、熱源システム各部の具体的な構成や各制御の具体的な実行方式は前述の実施形態で示したものに限らず、種々の改変が可能である。
【産業上の利用可能性】
【０１５０】
本発明は空調設備で用いる熱源システムに限らず、種々の冷熱用途や温熱用途の熱源システムに適用することができる。
【符号の説明】
【０１５１】
Ｃ                    熱媒
ｔｓｓ                設定出口熱媒温度
１                    熱源機
２                    一次ポンプ
Ｕ                    熱源ユニット
３                    負荷機器
４                    熱媒循環路
４ａ                  往路部分
４ｂ                  還路部分
１２                  バイパス路
８                    二次ポンプ
Ｇｘ                  負荷熱量
Ｑ２                  二次流量
Ｑ１                  一次流量
α，β                運転流量比率
１３，１４            制御手段
ｒ（ｑｓ）            最適流量配分比率
ｑｓ                  一次ポンプ送出流量
Ｒ                    負荷率
Ｒｍｉｎ              最小負荷率
Ｒｓ                  設定閾負荷率
Δｔｘ                負荷機器の入出口熱媒温度差
ｔｉ                  負荷機器の入口熱媒温度
ｔｉｓ                負荷機器の適正入口熱媒温度
ΔＴ                  保持期間
ｑｓｍｉｎ            設定制限流量
【図１】
2010255984.tif 000003
【図２】
2010255984.tif 000004
【図３】
2010255984.tif 000005
【図４】
2010255984.tif 000006
【図５】
2010255984.tif 000007
【図６】
2010255984.tif 000008
【図７】
2010255984.tif 000009
【図８】
2010255984.tif 000010